(57)【要約】【課題】排出路からパンチ屑を確実に排出することが可能であっても、消費電力を低減することが可能なパンチ機構を提供する。【解決手段】パンチ機構５は、カード状媒体２の一部を打ち抜いてカード状媒体２に孔を開けるパンチ刃８と、パンチ刃８を直線動作させるパンチ駆動源９と、パンチ刃８で打ち抜かれたパンチ屑２ａを排出するための排出路１１と、排出路１１からパンチ屑２ａが排出される方向への気流を排出路１１の内部に発生させる気流発生機構１３とを備えている。パンチ刃８は、カード状媒体２を打ち抜く際にパンチ屑２ａを排出路１１に押し出し、気流発生機構１３は、パンチ刃８がカード状媒体２に孔を開けるときのパンチ駆動源９の動力によって動作して、排出路１１の内部に気流を発生させる。【選択図】図２
2015112665.tif 000002
【特許請求の範囲】
【請求項１】
カード状媒体の一部を打ち抜いて前記カード状媒体に孔を開けるパンチ刃と、前記パンチ刃を直線動作させるパンチ駆動源と、前記パンチ刃で打ち抜かれたパンチ屑を排出するための排出路と、前記排出路から前記パンチ屑が排出される方向への気流を前記排出路内に発生させる気流発生機構とを備え、
前記パンチ刃は、前記カード状媒体を打ち抜く際に前記パンチ屑を前記排出路に押し出し、
前記気流発生機構は、前記パンチ刃が前記カード状媒体に孔を開けるときの前記パンチ駆動源の動力によって動作して、前記排出路内に気流を発生させることを特徴するパンチ機構。
【請求項２】
前記気流発生機構は、前記パンチ駆動源の動力によって前記パンチ刃が直線動作を開始すると、動作を開始し、
前記パンチ刃は、前記パンチ刃が直線動作を開始してから所定の距離移動した後に、前記カード状媒体の一部を打ち抜き始めることを特徴とする請求項１記載のパンチ機構。
【請求項３】
前記パンチ駆動源は、駆動用コイルを有する固定部と、少なくともその一部が軟磁性部材で形成されるとともに前記パンチ刃が形成または固定される可動部とを備え、
前記駆動用コイルに電流が供給されると、前記固定部に前記可動部が磁気吸引されて、前記パンチ刃が前記カード状媒体を打ち抜く方向へ前記固定部に対して前記可動部が直線動作することを特徴とする請求項１または２記載のパンチ機構。
【請求項４】
前記パンチ駆動源は、ソレノイドであることを特徴とする請求項３記載のパンチ機構。
【請求項５】
前記気流発生機構は、蛇腹状に形成され伸縮可能な空気室と、前記空気室を伸縮させる第１アームおよび第２アームの２本のアームとを有するふいごであり、
前記第１アームと前記第２アームとは、互いに相対回動可能に連結され、
前記第１アームの一端は、前記空気室の伸縮方向における前記空気室の一端に取り付けられ、前記第２アームの一端は、前記空気室の伸縮方向における前記空気室の他端に取り付けられ、
前記第１アームの他端および前記第２アームの他端は、前記可動部の移動方向において、前記固定部と前記可動部の一部との間に配置されていることを特徴とする請求項３または４記載のパンチ機構。
【請求項６】
前記気流発生機構は、前記可動部に固定されるナット部材と、前記ナット部材が螺合するオネジが形成されるとともに前記可動部の移動方向を軸方向として配置される軸部材と、前記軸部材を回転可能に支持する軸受と、前記排出路内に配置され前記軸部材の回転力で回転する羽根車とを備え、
前記パンチ刃が前記カード状媒体を打ち抜く方向へ前記可動部が移動すると、前記軸部材が回転するとともに前記羽根車が回転して、前記排出路から前記パンチ屑が排出される方向への気流が前記排出路内に発生することを特徴とする請求項３または４記載のパンチ機構。
【請求項７】
前記気流発生機構は、前記軸部材から前記羽根車への動力伝達経路に配置されるワンウェイクラッチを備え、
前記パンチ刃が前記カード状媒体を打ち抜く方向へ前記可動部が移動すると、前記羽根車が回転し、前記パンチ刃が前記カード状媒体を打ち抜く方向と逆方向へ前記可動部が移動しても、前記羽根車が停止していることを特徴とする請求項６記載のパンチ機構。
【請求項８】
前記排出路の、前記パンチ屑が押し出される箇所は、前記排出路の、前記気流発生機構による気流の発生箇所よりも狭くなっていることを特徴とする請求項１から７のいずれかに記載のパンチ機構。
【請求項９】
請求項１から８のいずれかに記載のパンチ機構と、前記カード状媒体が搬送される搬送路とを備え、
前記排出路は、前記搬送路の上側または下側のいずれか一方に形成され、
前記パンチ刃は、前記カード状媒体を打ち抜く際に、前記搬送路の上側または下側のいずれか他方から前記搬送路に突出し前記搬送路を通過して前記排出路に達することを特徴とするカードリーダ。
【発明の詳細な説明】
【技術分野】
【０００１】
本発明は、カード状媒体に孔を開けるためのパンチ機構、および、このパンチ機構を備えるカードリーダに関する。
【背景技術】
【０００２】
従来、カードリーダで処理されるカード状媒体に孔を開けるためのパンチ装置が知られている（たとえば、特許文献１参照）。特許文献１に記載のパンチ装置は、カード状媒体に孔を開けるパンチ手段と、パンチ手段で打ち抜かれたパンチ屑を排出するための排出路と、排出路の下流部に連結されるパンチ屑回収容器と、排出路内に気流を発生させて排出路からパンチ屑回収容器へパンチ屑を排出する流通手段とを備えている。パンチ手段は、カード状媒体を貫通してカード状媒体に孔を開けるパンチ部と、パンチ部をカード状媒体に向けて突出させるパンチソレノイドとを備えている。流通手段は、送気ファンである。
【０００３】
特許文献１に記載のパンチ装置では、パンチ部で打ち抜かれたパンチ屑は、パンチ部によって排出路まで押し出される。また、排出路まで押し出されたパンチ屑は、送気ファンが発生させる気流によって排出路からパンチ屑回収容器へ強制的に排出される。そのため、このパンチ装置では、排出路からパンチ屑を確実に排出することが可能になる。したがって、このパンチ装置では、パンチ屑が排出路からカード状媒体の搬送路に入り込むのを防止することが可能になる。
【先行技術文献】
【特許文献】
【０００４】
【特許文献１】特開２００５−２８５５３号公報
【発明の概要】
【発明が解決しようとする課題】
【０００５】
特許文献１に記載のパンチ装置は、送気ファンを備えているため、上述のように、排出路まで押し出されたパンチ屑を排出路から確実に排出することが可能である。しかしながら、このパンチ装置では、パンチソレノイドへの電力供給に加えて、送気ファンへの電力供給が必要となるため、消費電力が大きくなる。
【０００６】
そこで、本発明の課題は、排出路からパンチ屑を確実に排出することが可能であっても、消費電力を低減することが可能なパンチ機構を提供することにある。また、本発明の課題は、かかるパンチ機構を備えるカードリーダを提供することにある。
【課題を解決するための手段】
【０００７】
上記の課題を解決するため、本発明のパンチ機構は、カード状媒体の一部を打ち抜いてカード状媒体に孔を開けるパンチ刃と、パンチ刃を直線動作させるパンチ駆動源と、パンチ刃で打ち抜かれたパンチ屑を排出するための排出路と、排出路からパンチ屑が排出される方向への気流を排出路内に発生させる気流発生機構とを備え、パンチ刃は、カード状媒体を打ち抜く際にパンチ屑を排出路に押し出し、気流発生機構は、パンチ刃がカード状媒体に孔を開けるときのパンチ駆動源の動力によって動作して、排出路内に気流を発生させることを特徴する。
【０００８】
本発明のパンチ機構では、カード状媒体の一部を打ち抜いてカード状媒体に孔を開けるパンチ刃が、カード状媒体を打ち抜く際にパンチ屑を排出路に押し出している。また、本発明のパンチ機構が、排出路からパンチ屑が排出される方向への気流を排出路内に発生させる気流発生機構を備えている。そのため、本発明では、排出路まで押し出されたパンチ屑を、気流発生機構が発生させる気流によって排出路から強制的に排出することが可能になる。したがって、本発明では、排出路からパンチ屑を確実に排出することが可能になる。
【０００９】
また、本発明では、パンチ刃がカード状媒体に孔を開けるときのパンチ駆動源の動力によって気流発生機構が動作して、排出路内に気流を発生させているため、パンチ刃が直線動作するようにパンチ駆動源に電力を供給すれば、排出路内に気流を発生させることができる。すなわち、パンチ刃を直線動作させるためのパンチ駆動源への電力供給のみで、排出路内に気流を発生させることができる。したがって、本発明では、排出路からパンチ屑を確実に排出することが可能であっても、パンチ機構の消費電力を低減することが可能になる。
【００１０】
本発明において、気流発生機構は、パンチ駆動源の動力によってパンチ刃が直線動作を開始すると、動作を開始し、パンチ刃は、パンチ刃が直線動作を開始してから所定の距離移動した後に、カード状媒体の一部を打ち抜き始めることが好ましい。このように構成すると、パンチ刃によってパンチ屑が排出路に押し出される前から、パンチ屑が排出される方向への気流を排出路内に発生させておくことが可能になる。したがって、排出路に押し出されるパンチ屑がパンチ刃に付着していても、付着したパンチ屑をパンチ刃から取り除くことが可能になる。また、排出路に押し出されたパンチ屑を排出路から短時間で排出することが可能になる。
【００１１】
本発明において、パンチ駆動源は、たとえば、駆動用コイルを有する固定部と、少なくともその一部が軟磁性部材で形成されるとともにパンチ刃が形成または固定される可動部とを備え、駆動用コイルに電流が供給されると、固定部に可動部が磁気吸引されて、パンチ刃がカード状媒体を打ち抜く方向へ固定部に対して可動部が直線動作する。この場合には、パンチ駆動源は、たとえば、ソレノイドである。
【００１２】
本発明において、気流発生機構は、たとえば、蛇腹状に形成され伸縮可能な空気室と、空気室を伸縮させる第１アームおよび第２アームの２本のアームとを有するふいごであり、第１アームと第２アームとは、互いに相対回動可能に連結され、第１アームの一端は、空気室の伸縮方向における空気室の一端に取り付けられ、第２アームの一端は、空気室の伸縮方向における空気室の他端に取り付けられ、第１アームの他端および第２アームの他端は、可動部の移動方向において、固定部と可動部の一部との間に配置されている。
【００１３】
また、本発明において、気流発生機構は、可動部に固定されるナット部材と、ナット部材が螺合するオネジが形成されるとともに可動部の移動方向を軸方向として配置される軸部材と、軸部材を回転可能に支持する軸受と、排出路内に配置され軸部材の回転力で回転する羽根車とを備え、パンチ刃がカード状媒体を打ち抜く方向へ可動部が移動すると、軸部材が回転するとともに羽根車が回転して、排出路からパンチ屑が排出される方向への気流が排出路内に発生しても良い。
【００１４】
この場合には、気流発生機構は、軸部材から羽根車への動力伝達経路に配置されるワンウェイクラッチを備え、パンチ刃がカード状媒体を打ち抜く方向へ可動部が移動すると、羽根車が回転し、パンチ刃がカード状媒体を打ち抜く方向と逆方向へ可動部が移動しても、羽根車が停止していることが好ましい。このように構成すると、排出路の内部へパンチ屑が引き戻される方向への気流が排出路内に発生するのを確実に防止することが可能になる。
【００１５】
本発明において、排出路の、パンチ屑が押し出される箇所は、排出路の、気流発生機構による気流の発生箇所よりも狭くなっていることが好ましい。このように構成すると、排出路の、パンチ屑が押し出される箇所の風圧を高めることが可能になる。したがって、排出路に押し出されたパンチ屑を排出路からより確実に排出することが可能になる。
【００１６】
本発明のパンチ機構は、カード状媒体が搬送される搬送路を備えるカードリーダに用いることができる。このカードリーダでは、排出路は、搬送路の上側または下側のいずれか一方に形成され、パンチ刃は、カード状媒体を打ち抜く際に、搬送路の上側または下側のいずれか他方から搬送路に突出し搬送路を通過して排出路に達する。このカードリーダでは、排出路からパンチ屑を確実に排出することが可能であっても、パンチ機構の消費電力を低減することが可能になる。
【発明の効果】
【００１７】
以上のように、本発明では、排出路からパンチ屑を確実に排出することが可能であっても、パンチ機構の消費電力を低減することが可能になる。
【図面の簡単な説明】
【００１８】
【図１】本発明の実施の形態にかかるカードリーダの概略構成を示す平面図である。
【図２】図１に示すパンチ機構の構成を説明するための正面図である。
【図３】図２に示すソレノイド本体に対するプランジャの位置とソレノイドの駆動力との関係を説明するためのグラフである。
【図４】本発明の他の実施の形態にかかるパンチ機構の構成を説明するための正面図である。
【図５】図４に示す排出路の構成を説明するための平面図である。
【図６】本発明の他の実施の形態にかかるパンチ機構の構成を説明するための正面図である。
【発明を実施するための形態】
【００１９】
以下、図面を参照しながら、本発明の実施の形態を説明する。
【００２０】
（カードリーダの構成）
図１は、本発明の実施の形態にかかるカードリーダ１の概略構成を示す平面図である。図２は、図１に示すパンチ機構５の構成を説明するための正面図である。図３は、図２に示すソレノイド本体１５に対するプランジャ１６の位置とソレノイド９の駆動力との関係を説明するためのグラフである。
【００２１】
本形態のカードリーダ１は、カード状媒体２に記録された磁気データの読取およびカード状媒体２への磁気データの記録の少なくとも一方を行うための装置である。カードリーダ１の内部には、カード挿入口から挿入されたカード状媒体２が搬送される搬送路３（図２参照）が形成されている。カードリーダ１は、カード状媒体２に記録された磁気データの読取やカード状媒体２への磁気データの記録を行うための磁気ヘッド４と、搬送路３でカード状媒体２を搬送する搬送機構（図示省略）とを備えている。磁気ヘッド４は、搬送路３に臨むように配置されている。また、カードリーダ１は、カード状媒体２の一部を打ち抜いてカード状媒体２に孔を開けるためのパンチ機構５を備えている。
【００２２】
カード状媒体２は、厚さが０．１８〜０．３６ｍｍ程度のＰＥＴ（ポリエチレンテレフタレート）カードである。したがって、以下では、カード状媒体２を「カード２」とする。カード２には、磁気データが記録される磁気ストライプが形成されている。なお、カード２は、所定の厚さの紙カード等であっても良いし、厚さが０．７〜０．８ｍｍ程度の塩化ビニール製のカードであっても良い。
【００２３】
パンチ機構５は、カード２の一部を打ち抜いてカード２に孔を開けるパンチ刃８と、パンチ刃８を上下方向へ直線動作させるパンチ駆動源としてのソレノイド９と、パンチ刃８がカード２に孔を開けるときにカード２を受ける受け台１０と、パンチ刃８で打ち抜かれたパンチ屑２ａを排出するための排出路１１と、排出路１１に連結されるパンチ屑回収容器１２と、排出路１１からパンチ屑回収容器１２へパンチ屑２ａが排出される方向への気流を排出路１１内に発生させる気流発生機構としてのふいご１３とを備えている。パンチ屑回収容器１２は、カードリーダ１の一方の側面に着脱可能に取り付けられている。
【００２４】
ソレノイド９は、駆動用コイル（図示省略）と軟磁性部材で形成される鉄芯とを有する固定部としてのソレノイド本体１５と、軟磁性部材で形成される可動部としてのプランジャ（可動鉄芯）１６とを備えている。このソレノイド９は、搬送路３の下側に配置されている。プランジャ１６の上端には、パンチ刃８が固定されている。排出路１１は、搬送路３とは別個に設けられており、搬送路３の上側に配置されている。搬送路３の下面には、パンチ刃８が通過する貫通孔が形成されている。搬送路３の上面および排出路１１の下面にも、パンチ刃８が通過する貫通孔が形成されている。受け台１０は、搬送路３と排出路１１との間に配置されている。受け台１０には、パンチ刃８が通過する貫通孔が形成されている。また、受け台１０の下面は、カード２の上面が当接するカード２の受け面となっている。
【００２５】
なお、排出路１１は、カードリーダ１の上面側部分を構成する蓋部に形成されている。また、受け台１０は、この蓋部に固定されている。本形態では、蓋部の下面が搬送路３の上面を構成している。また、蓋部は、カードリーダ１の本体フレームに開閉可能に取り付けられており、蓋部を開くと、搬送路３が露出する。
【００２６】
ソレノイド本体１５の駆動用コイルに電流が供給されていないときには、図２の実線で示すように、パンチ刃８およびプランジャ１６が下側へ下がっている。このときには、パンチ刃８の上端は、搬送路３の下面よりも下側に配置されている。この状態で、ソレノイド本体１５の駆動用コイルに電流が供給されると、プランジャ１６がソレノイド本体１５に磁気吸引されて、図２の二点鎖線で示すように、パンチ刃８およびプランジャ１６が上昇する。すなわち、ソレノイド本体１５の駆動用コイルに電流が供給されると、パンチ刃８およびプランジャ１６が上方向へ直線動作する。
【００２７】
上昇するパンチ刃８の先端（上端）は、搬送路３の下面の貫通孔を通過して、カード２に接触する。パンチ刃８の先端は、カード２に接触するとカード２を持ち上げる。また、カード２の上面が受け台１０に当接すると、パンチ刃８は、搬送路３の上面の貫通孔および受け台１０の貫通孔を通過しながらカード２を打ち抜いてカード２に孔を開ける。また、上昇するパンチ刃８の先端は、その後、排出路１１の下面の貫通孔を通過して、排出路１１に達する。すなわち、パンチ刃８は、カード２を打ち抜く際に、搬送路３の下側から搬送路３に突出し搬送路３を通過して排出路１１に達する。カード２から生じるパンチ屑２ａは、排出路１１に達するパンチ刃８の先端によって排出路１１に押し出される。すなわち、パンチ刃８は、カード２を打ち抜く際にパンチ屑２ａを排出路１１に押し出す。
【００２８】
ふいご１３は、蛇腹状に形成され伸縮可能な空気室１８と、空気室１８を伸縮させる第１アーム１９および第２アーム２０の２本のアームとを備えている。空気室１８には、排気口２１および吸気口（図示省略）が設けられている。排気口２１には、排気口２１から空気が流入しないように、逆止弁が取り付けられている。吸気口には、吸気口から空気が流出しないように、逆止弁が取り付けられている。また、排気口２１には、ゴムチューブ等の配管２２の一端が接続されている。配管２２の他端には、ノズル２３が取り付けられている。
【００２９】
ノズル２３は、排出路１１の、パンチ屑２ａが押し出される部分に空気を吐出するように、排出路１１の中に配置されている。具体的には、ノズル２３から空気が吐出されると、排出路１１からパンチ屑回収容器１２へパンチ屑２ａが排出される方向への気流が排出路１１の中に生じるように、ノズル２３は、排出路１１の中に配置されている。
【００３０】
第１アーム１９と第２アーム２０とは、互いに相対回動可能に連結されている。第１アーム１９と第２アーム２０との連結部２４と、第１アーム１９の一端との距離は、第１アーム１９の他端と連結部２４との距離よりも長くなっている。また、第２アーム２０の一端と連結部２４との距離は、第２アーム２０の他端と連結部２４との距離よりも長くなっている。
【００３１】
第１アーム１９の一端は、空気室１８の上端側に取り付けられ、第２アーム２０の一端は、空気室１８の下端側に取り付けられている。第１アーム１９の他端および第２アーム２０の他端は、上下方向において、ソレノイド本体１５の下端面と、プランジャ１６の下端側に形成される鍔部１６ａの上面との間に配置されている。具体的には、第１アーム１９の他端が鍔部１６ａの上面に接触し、かつ、第２アーム２０の他端がソレノイド本体１５の下端面に接触するように、第１アーム１９の他端および第２アーム２０の他端は、ソレノイド本体１５の下端面と鍔部１６ａの上面との間に配置されている。また、本形態では、第１アーム１９の他端は鍔部１６ａの上面に固定され、第２アーム２０の他端はソレノイド本体１５の下端面に固定されている。そのため、ソレノイド本体１５に対してプランジャ１６が上下動すると、空気室１８が上下方向に伸縮する。具体的には、ソレノイド本体１５に対してプランジャ１６が上昇すると、空気室１８が縮み、ソレノイド本体１５に対してプランジャ１６が下降すると、空気室１８が伸びる。
【００３２】
空気室１８が縮むときには、排出路１１からパンチ屑回収容器１２へパンチ屑２ａが排出される方向への気流が生じるように、ノズル２３から空気が吐出される。すなわち、カード２に孔を開ける際のプランジャ１６の上昇動作によって、ふいご１３が動作して、排出路１１からパンチ屑回収容器１２へパンチ屑２ａが排出される方向への気流が排出路１１の中に生じる。このように、本形態では、ふいご１３は、パンチ刃８がカード２に孔を開けるときのソレノイド９の動力によって動作して、排出路１１からパンチ屑回収容器１２へパンチ屑２ａが排出される方向への気流を排出路１１の中に発生させる。なお、空気室１８が伸びるときには、吸気口から空気室１８の中へ空気が吸入される。
【００３３】
本形態では、ソレノイド本体１５の駆動用コイルに電流が供給されていないときのプランジャ１６の位置である初期位置から、プランジャ１６が上昇して、ソレノイド本体１５とプランジャ１６との距離が近づいていくと、図３に示すように、ソレノイド９の駆動力は、しだいに大きくなっていく。
【００３４】
また、本形態では、ソレノイド本体１５の駆動用コイルに電流が供給されてプランジャ１６が上昇を開始すると（すなわち、パンチ刃８が直線動作を開始すると）、ふいご１３が動作を開始する。一方、パンチ刃８は、上述のように、プランジャ１６が上昇を開始してから所定の距離移動した後にカード２の一部を打ち抜き始める。すなわち、本形態では、初期位置から、パンチ刃８の先端がカード２に接触するときのプランジャ１６の位置である打ち抜き開始位置までプランジャ１６が移動する間のソレノイド９の駆動力は、ふいご１３を動作させるために使用され（すなわち、排出路１１の中に気流を発生させるために使用され）、打ち抜き開始位置にプランジャ１６が達した後のソレノイド９の駆動力は、カード２の孔開けのために使用されるとともに、排出路１１の中に気流を発生させるために使用される。
【００３５】
（本形態の主な効果）
以上説明したように、本形態では、カード２から生じるパンチ屑２ａは、排出路１１に達するパンチ刃８の先端によって排出路１１に押し出される。また、本形態では、ふいご１３が動作して、排出路１１からパンチ屑回収容器１２へパンチ屑２ａが排出される方向への気流が排出路１１の中に生じる。そのため、本形態では、排出路１１まで押し出されたパンチ屑２ａを、ふいご１３が発生させる気流によって排出路１１からパンチ屑回収容器１２へ強制的に排出することが可能になる。したがって、本形態では、排出路１１からパンチ屑２ａを確実に排出することが可能になる。
【００３６】
また、本形態では、パンチ刃８がカード２に孔を開けるときのソレノイド９の動力によってふいご１３が動作して、排出路１１の中に気流を発生させているため、パンチ刃８が直線動作するようにソレノイド９に電力を供給すれば、排出路１１の中に気流を発生させることができる。すなわち、本形態では、パンチ刃８を直線動作させるためのソレノイド９への電力供給のみで、排出路１１の中に気流を発生させることができる。したがって、本形態では、排出路１１からパンチ屑２ａを確実に排出することが可能であっても、パンチ機構５の消費電力を低減することが可能になる。
【００３７】
本形態では、初期位置から打ち抜き開始位置までプランジャ１６が移動する間のソレノイド９の駆動力は、排出路１１の中に気流を発生させるために使用されている。そのため、本形態では、パンチ屑２ａが排出路１１に押し出されたときには、排出路１１からパンチ屑回収容器１２へパンチ屑２ａが排出される方向への気流が排出路１１の中に生じている。したがって、本形態では、排出路１１に押し出されるパンチ屑２ａがパンチ刃８に付着していても、付着したパンチ屑２ａをパンチ刃８から取り除くことが可能になる。また、本形態では、排出路１１に押し出されたパンチ屑２ａを排出路１１から短時間で排出することが可能になる。
【００３８】
（パンチ機構の変形例１）
図４は、本発明の他の実施の形態にかかるパンチ機構５の構成を説明するための正面図である。図５は、図４に示す排出路１１の構成を説明するための平面図である。
【００３９】
上述した形態では、パンチ機構５は、排出路１１からパンチ屑回収容器１２へパンチ屑２ａが排出される方向への気流を排出路１１内に発生させる気流発生機構として、ふいご１３を備えている。この他にもたとえば、パンチ機構５は、ふいご１３に代えて、図４に示すように、プランジャ１６に固定されるナット部材２９と、ナット部材２９が螺合するオネジ３０ａが形成される軸部材３０と、軸部材３０を回転可能に支持する軸受３１と、軸部材３０の回転力で回転する羽根車３２とを備える気流発生機構３３を備えていても良い。以下、この気流発生機構３３の構成を説明する。なお、図４、図５では、上述した形態と同じ構成に対しては、同じ符号を付している。
【００４０】
ナット部材２９は、プランジャ１６の鍔部１６ａに固定されている。ナット部材２９には、軸部材３０のオネジ３０ａと螺合するメネジ（図示省略）が形成されている。軸部材３０は、上下方向を軸方向として配置されている。すなわち、軸部材３０は、プランジャ１６の移動方向を軸方向として配置されている。オネジ３０ａは、軸部材３０の下端側部分に形成されている。軸部材３０の上端側には、プーリ３５が固定されている。軸受３１は、カードリーダ１のフレームに取り付けられている。
【００４１】
羽根車３２は、排出路１１の内部に配置されている。羽根車３２の上端側には、プーリ３６が固定されている。プーリ３５とプーリ３６とには、ベルト３７が架け渡されている。プーリ３６は、ワンウェイクラッチを内蔵するワンウェイクラッチ付きのプーリである。すなわち、軸部材３０から羽根車３２への動力伝達経路には、ワンウェイクラッチが配置されている。
【００４２】
気流発生機構３３では、プランジャ１６が昇降すると、軸部材３０が回転する。また、プランジャ１６が上昇すると（すなわち、パンチ刃８がカード２を打ち抜く方向へプランジャ１６が移動すると）、軸部材３０の回転力が羽根車３２に伝達されて、軸部材３０とともに羽根車３２が回転する。羽根車３２が回転すると、排出路１１からパンチ屑回収容器１２へパンチ屑２ａが排出される方向への気流が排出路１１の中に生じる。すなわち、気流発生機構３３は、パンチ刃８がカード２に孔を開けるときのソレノイド９の動力によって動作して、排出路１１からパンチ屑回収容器１２へパンチ屑２ａが排出される方向への気流を排出路１１の中に発生させる。
【００４３】
一方で、気流発生機構３３では、プランジャ１６が下降しても（すなわち、パンチ刃８がカード２を打ち抜く方向と逆方向へプランジャ１６が移動しても）、プーリ３６に内蔵されたワンウェイクラッチの作用で、羽根車３２は停止している。そのため、プランジャ１６が下降しても、パンチ屑回収容器１２から排出路１１の内部へパンチ屑２ａが引き戻される方向への気流が排出路１１の内部に発生することはない。
【００４４】
また、変形例１にかかるパンチ機構５では、図５に示すように、排出路１１は、羽根車３２が設置される位置からパンチ屑２ａが押し出される位置に向かってしだいに狭くなっている。すなわち、排出路１１の、パンチ屑２ａが押し出される箇所は、排出路１１の、気流発生機構３３による気流の発生箇所よりも狭くなっている。そのため、この変形例１では、排出路１１の、パンチ屑２ａが押し出される箇所の風圧を高めることが可能になり、その結果、排出路１１に押し出されたパンチ屑２ａを排出路１１からより確実に排出することが可能になる。
【００４５】
（パンチ機構の変形例２）
図６は、本発明の他の実施の形態にかかるパンチ機構５の構成を説明するための正面図である。
【００４６】
上述した形態では、パンチ機構５は、パンチ刃８を上下方向へ直線動作させるパンチ駆動源として、ソレノイド９を備えている。この他にもたとえば、パンチ機構５は、ソレノイド９に代えて、図６に示すように、駆動用コイル４３と駆動用コイル４３が巻回される鉄芯４４とを有する固定部としての電磁石４５と、軟磁性部材で形成される可動部としての可動板４６とから構成されるパンチ駆動源４９を備えていても良い。この場合には、たとえば、電磁石４５の下側に可動板４６が配置されている。また、可動板４６の上面に、パンチ刃８が固定されている。さらに、第１アーム１９の他端および第２アーム２０の他端は、上下方向において、電磁石４５の下端面と可動板４６の上面との間に配置されている。
【００４７】
この変形例２では、駆動用コイル４３に電流が供給されていないときには、パンチ刃８および可動板４６が下側へ下がっており、パンチ刃８の上端は、搬送路３の下面よりも下側に配置されている。この状態で、駆動用コイル４３に電流が供給されると、可動板４６が電磁石４５に磁気吸引されて、パンチ刃８が上昇し、上述した形態と同様に、パンチ刃８がカード２を打ち抜いてカード２に孔を開ける。また、電磁石４５に対して可動板４６が上昇すると、空気室１８が縮み、ノズル２３から吐出される空気によって、排出路１１からパンチ屑回収容器１２へパンチ屑２ａが排出される方向への気流が排出路１１の中に生じる。なお、図６では、上述した形態と同じ構成に対しては、同じ符号を付している。
【００４８】
（他の実施の形態）
上述した形態および変形例は、本発明の好適な形態の一例ではあるが、これに限定されるものではなく本発明の要旨を変更しない範囲において種々変形実施が可能である。
【００４９】
上述した形態では、パンチ機構５は、排出路１１からパンチ屑回収容器１２へパンチ屑２ａが排出される方向への気流を排出路１１内に発生させる気流発生機構として、ふいご１３を備えている。この他にもたとえば、パンチ機構５は、ふいご１３に代えて、パンチ刃８がカード２に孔を開けるときのソレノイド９の動力によって動作するポンプを備えていても良い。また、上述した形態では、パンチ機構５は、パンチ刃８を上下方向へ直線動作させるパンチ駆動源として、ソレノイド９を備えているが、パンチ機構５は、ソレノイド９に代えて、モータを備えていても良い。
【００５０】
上述した形態では、ソレノイド９が搬送路３の下側に配置され、排出路１１が搬送路３の上側に配置されている。この他にもたとえば、ソレノイド９が搬送路３の上側に配置され、排出路１１が搬送路３の下側に配置されても良い。この場合には、パンチ刃８は、カード２を打ち抜く際に、搬送路３の上側から搬送路３に突出し搬送路３を通過して排出路１１に達する。
【００５１】
上述した形態では、プランジャ１６の上端にパンチ刃８が固定されているが、プランジャ１６の上端側にパンチ刃８が直接、形成されても良い。また、上述した形態では、パンチ機構５は、カードリーダ１に搭載されているが、パンチ機構５は、カードリーダ１以外の各種の装置に搭載されても良い。たとえば、パンチ機構５は、公衆電話に搭載されても良い。
【符号の説明】
【００５２】
１  カードリーダ
２  カード（カード状媒体）
２ａ  パンチ屑
３  搬送路
５  パンチ機構
８  パンチ刃
９  ソレノイド（パンチ駆動源）
１１  排出路
１３  ふいご（気流発生機構）
１５  ソレノイド本体（固定部）
１６  プランジャ（可動部）
１８  空気室
１９  第１アーム
２０  第２アーム
２９  ナット部材
３０  軸部材
３０ａ  オネジ
３１  軸受
３２  羽根車
３３  気流発生機構
４３  駆動用コイル
４５  電磁石（固定部）
４６  可動板（可動部）
４９  パンチ駆動源
【図１】
2015112665.tif 000003
【図２】
2015112665.tif 000004
【図３】
2015112665.tif 000005
【図４】
2015112665.tif 000006
【図５】
2015112665.tif 000007
【図６】
2015112665.tif 000008